(57)【特許請求の範囲】
【請求項１】
複数本の間欠空気揚水筒の下部に整流筒の上部を連設し、該整流筒の下部外側に空気室を設けると共に、該空気室の外側に散気盤を配置し、かつ整流筒の内側にも気泡を送るべく散気管を配置して下部揚水装置とし、該下部揚水装置の上部に下部揚水装置の上昇水を案内する横方向案内板を設け、前記横方向案内板の上部に上部揚水筒を有する上部揚水装置を連設したことを特徴とする大容量深水曝気装置。
【請求項２】
複数本の間欠空気揚水筒の下部に整流筒の上部を連設し、該整流筒の下部外側に空気室を設けると共に、散気盤を配置し、かつ整流筒の内側にも気泡を送るべく散気管を配置して下部揚水装置を構成し、この下部揚水装置の上部に上部揚水筒の空気室を連設し、該空気室に上部揚水筒の下部を連設すると共に、該上部揚水筒の外側へ所定の間隔を保って外筒を遊嵌することにより上部揚水装置を構成したことを特徴とする大容量深水曝気装置。
【請求項３】
複数本の間欠空気揚水筒の下部を一本の整流筒の上部に連結し、該整流筒の下部側壁に環状の空気室と環状の散気管を設けて散気管の内側へ整流筒内と連通する多数の小孔を穿設し、該散気管に送気ホースを連結し、前記揚水筒を囲んで散気盤を配置したことを特徴とする請求項１又は２記載の大容量深水曝気装置。
【請求項４】
上部揚水装置の空気室は、下部揚水装置で使用された空気の上昇路となる截頭円錐を設置し、前記使用された空気を捕集すべくなした請求項１又は２記載の大容量深水曝気装置。
【発明の詳細な説明】
【０００１】
【産業上の利用分野】
この発明は、湖・沼・ダム等の深水層の循環曝気を大容量とすることを目的とした大容量深水曝気装置に関する。
【０００２】
【従来の技術】
従来深水層と浅水層を別々に曝気する技術は知られていた（実公平４−２２８７８号）。また複数本の揚水筒を束にして使用する大容量揚水装置も提案されていた（実公平４−４１９９８号）。
【０００３】
【発明により解決すべき課題】
前記従来の揚水装置は、国内各地に設置されて、多大の成果をあげている。
【０００４】
また複数本の揚水筒を束にして使用することも行われているが、何れも浅水域又は上部水域において使用されており、深水層における使用例はない。
【０００５】
然し乍ら比較的水深の大きい湖、沼において（例えば水深５０ｍ〜１００ｍ）、水深３０ｍ〜６０ｍ付近の深水域の曝気を目的とした場合に未だ有効な装置がない。例えば前記実公平４−２２８７８号考案の場合には複数本の揚水筒を用いているが、上下関係はない。
【０００６】
また実公平４−４１９９８号の考案の場合には、上下揚水筒共に単筒である。従って大容量の循環揚水がむつかしい問題点があった。
【０００７】
【課題を解決するための手段】
然るにこの発明は、下部揚水筒を複数本とし、しかも下部へ散気盤を設置して大容量の深水曝気を可能にし、前記従来の問題点を解決したのである。
【０００８】
即ちこの発明は、複数本の間欠空気揚水筒の下部に整流筒の上部を連設し、該整流筒の下部外側に空気室を設けると共に、該空気室の外側に散気盤を配置し、かつ整流筒の内側にも気泡を送るべく散気管を配置して下部揚水装置とし、該下部揚水装置の上部に下部揚水装置の上昇水を案内する横方向案内板を設け、前記横方向案内板の上部に上部揚水筒を有する上部揚水装置を連設したことを特徴とする大容量深水曝気装置であり、複数本の間欠空気揚水筒の下部に整流筒の上部を連設し、該整流筒の下部外側に空気室を設けると共に、散気盤を配置し、かつ整流筒の内側にも気泡を送るべく散気管を配置して下部揚水装置を構成し、この下部揚水装置の上部に上部揚水筒の空気室を連設し、該空気室に上部揚水筒の下部を連設すると共に、該上部揚水筒の外側へ所定の間隔を保って外筒を遊嵌することにより上部揚水装置を構成したことを特徴とする大容量深水曝気装置である。
【０００９】
次に他の発明は、複数本の間欠空気揚水筒の下部を一本の整流筒の上部に連結し、該整流筒の下部側壁に環状の空気室と環状の散気管を設けて散気管の内側へ整流筒内と連通する多数の小孔を穿設し、該散気管に送気ホースを連結し、前記揚水筒を囲んで散気盤を配置したことを特徴とするものであり、上部揚水装置の空気室は、下部揚水装置で使用された空気の上昇路となる截頭円錐を設置し、前記使用された空気を捕集すべくなしたものである。
【００１０】
前記発明において、上部揚水装置は、一本の揚水筒の外側へ所定の間隔をおいて外筒を遊嵌したけれども、上部揚水筒を複数本にしても同様である。また下部揚水筒の外側に所定間隔をいて外筒を設けることもできる。
【００１１】
また散気盤は下部揚水筒の下部外側に設けるに際し、散気盤の空気を悉く揚水に混入して、溶存酸素量の増加を図ることもできる。
【００１２】
【作用】
この発明によれば、少くとも下部揚水筒を複数本使用したので、単一揚水筒に期待できない大容量揚水を行い、これを循環させることができる。
【００１３】
また下部揚水筒の下部に散気盤を設けたので、この散気盤により生成した気泡を微細にして、水深の大きい水域の曝気を自動的に行うことができる。
【００１４】
【実施例１】
間欠空気の下部揚水筒１、１（４本１体にしてある）の下端に一本の整流筒２の上端を接続し、整流筒２の下部外側に空気室３を嵌装固着すると共に、環状の散気管４を設ける。前記空気室３の外側にも環状の散気盤５を設ける。
【００１５】
前記下部揚水筒１の上端部外側に補強帯６を固定し、該補強帯６と上部揚水筒８の下端に連設した截頭円錐７の内壁とを支杆９、９により支承させる。また上部揚水筒８の下部内側には、塞板１０を設け、該塞板１０の下面に有底筒１１の上端を固定し、前記有底筒１１と、塞板１０の上部とを連通筒１２で連通させたもので、図中１３は有底筒１１の上部側壁に穿設した連通孔、１４、１５、１６は下部揚水筒の空気室及び散気管と散気盤の送気ホースである。
【００１６】
前記上部揚水筒８の外側へ所定の間隔を保って外筒１７を遊嵌し、数本の支持杆１８、１８により位置を固定する。図中１９は上部揚水筒８の連通孔、２０は浮室（浮子にすることもある）、２１は下部揚水筒の揚水の案内板である。
【００１７】
前記装置は図２のように、深水湖２２などへ設置し、前記浮室２０と、重錘２３との間で本体を垂直に支持できる。
【００１８】
前記実施例において、ホース１６から、矢示２４のように加圧空気を空気室３内へ送入し、内部の水位が、鎖線２５に達すると、空気室内の空気は、矢示２６、２７、２８のように一団となって、整流筒２内へ放出され、整流筒２内で気泡弾２９を形成する。
【００１９】
一方散気管４と散気盤５へも各送気ホース１４、１５から加圧空気が矢示３０、３１のように送入されるので、散気管４と、散気盤５から微小気泡３２、３３となって水中へ放出される。
【００２０】
前記気泡弾２０と微小気泡３２、３３とは、矢示３４のように上昇して截頭円錐７に衝突し、空気は矢示３５のように上昇し、連通孔１３から有底筒１１内に入り、その空気が連通筒１２の下端まで達した際は一団となって連通筒１２内を矢示３６のように上昇し、気泡弾３７となって矢示３８のように上昇し、外筒１７内へ放出される。従って外筒１７内の水も矢示３９のように吸い上げられ、図２中矢示４０、４０のように放散させられる。
【００２１】
従って下部揚水は微小気泡を一部含んだまま矢示４５、４５のように横方向へ放散される。そこで下部揚水と、上部揚水とは図２中矢示４０、４１、４２、４３、４４の循環と、矢示４５、４６、４７の循環と上下２段で夫々対流を生じる。
【００２２】
この場合に下部揚水筒１、１は十分の能力を発揮し、深水層の溶存酸素量を速かに改善させることができる。
【００２３】
【実施例２】
この発明の他の実施例を図３に基づいて説明する。
【００２４】
図３は実施例１において、下部揚水筒１、１の外側へ所定の間隔を保って外筒４８を遊嵌したものである。
【００２５】
下部揚水筒１、１に外筒４８を遊嵌すると、下部揚水筒１、１の揚水が矢示４９、４９のように放散すると、下部揚水筒１、１の外壁と、外筒４８の内壁との間の水を矢示５０のように連行する。
【００２６】
一方散気盤５の気泡も矢示５１、５１のように上昇するので、外筒４８内には上昇流を生じ、それだけ大量の水が上昇して、矢示４５、４５のように拡散する。
【００２７】
図中５２、５２は外筒４８と截頭円錐７及び案内２１との間の支杆であり、５３、５４は外筒４８の上下の支持杆である。この実施例のようにすれば下部揚水筒による揚水量を更に大量にすることができる。
【００２８】
【発明の効果】
この発明は、下部揚水筒を複数とし、その揚水量を改善できるので、公知の単筒の場合に比し、数倍の能力を発揮できる効果がある。
【００２９】
また深水層は酸欠になり易いが、散気管及び散気盤によって微小気泡を生成し、酸素の溶解量の増加をはかったので溶存酸素量を改善できる効果がある。
【図面の簡単な説明】
【図１】この発明の一部を省畧した断面拡大図。
【図２】同じく設置状態の一部を省畧した図。
【図３】同じく下部揚水筒に外筒を遊嵌した実施例の一部断面図。
【符号の説明】
１  下部揚水筒
２  整流筒
３  空気室
４  散気管
５  散気盤
６  補強帯
７  截頭円錐
８  上部揚水筒
９  支杆
１０  塞板
１１  有底筒
１２  連通筒
１３、１９  連通孔
１４、１５、１６  送気ホース
１７  外筒
１８  支持杆
２０  浮室
２１  案内
２２  深水湖
２３  重錘
２９、３７  気泡弾
３２、３３  微小気泡
４８  外筒
【図１】
0003551981.tif 000002
【図２】
0003551981.tif 000003
【図３】
0003551981.tif 000004